(57)【要約】【課題】電解質の漏出を簡便に抑制可能な熱電池を備える回転飛翔体を提供する。【解決手段】熱電池２０は、第１発熱体１０１と、第２発熱体１０２と、第１セル２０１と、第１板部材３０１と、を有する。第１発熱体１０１は、第１外周部１０１ａから第２発熱体１０２側に向かって延びる第１延在部１０１ｂを含む。第２発熱体１０２は、第２外周部１０２ａから第１発熱体１０１側に向かって延びる第２延在部１０２ｂを含む。第１板部材３０１の外周面３０１Ｓは、第１延在部１０１ｂの第1内周面１０１Ｔ及び第２延在部１０２ｂの第２内周面１０２Ｔのそれぞれと対向する。【選択図】図４
2014135230.tif 000002
【特許請求の範囲】
【請求項１】
回転軸を中心として回転しながら飛翔可能な回転飛翔体であって、
本体と、
前記本体の内部に固定される熱電池と、
を備え、
前記熱電池は、
第１方向に順に積層された正極、電解質及び負極を有するセルと、
前記正極上に配置される第１発熱体と、
前記負極上に配置される第２発熱体と、
前記セルの側面に沿って配置される板部材と、
を有し、
前記第１発熱体は、外周部から前記第２発熱体側に向かって延びる第１延在部を含み、
前記第２発熱体は、外周部から前記第１発熱体側に向かって延び、前記第１延在部と対向する第２延在部を含み、
前記板部材の外周面は、前記第１延在部の第1内周面及び前記第２延在部の第２内周面と対向する、
回転飛翔体。
【請求項２】
前記第１方向は、前記回転軸と平行であり、
前記回転軸は、前記セルの内部を通っており、
前記板部材は、前記セルの側面の全周を取り囲んでいる、
請求項１に記載の回転飛翔体。
【請求項３】
前記第１方向は、前記回転軸と平行であり、
前記回転軸は、前記セルの外部を通っており、
前記板部材は、前記第１方向から見た場合、前記セルの側面のうち前記回転軸を通る直線との接点よりも前記回転軸から離れた領域に沿って配置されている、
請求項１に記載の回転飛翔体。
【請求項４】
前記第１方向は、前記回転軸に垂直であり、
前記板部材は、前記第１方向と前記回転軸に平行な第２方向とに垂直な第３方向における前記セルの第１端部に沿って配置される第１部材と、前記第１端部の反対側の第２端部に沿って配置される第２部材と、を含む、
請求項１に記載の回転飛翔体。
【請求項５】
前記板部材は、前記第１延在部と前記第２延在部の間隙に挿入される凸部を有する、
請求項１乃至４のいずれかに記載の回転飛翔体。
【発明の詳細な説明】
【技術分野】
【０００１】
本発明は、熱電池を備える回転飛翔体に関する。
【背景技術】
【０００２】
従来、熱電池は、小型軽量で瞬時に発電可能であるため、砲弾やミサイルなどの回転飛翔体の電力供給源として好適に用いられている。熱電池は、セルと発熱体を交互に積層することによって構成される発電部を備える。セルは、順に積層された正極と電解質と負極とを有する。点火具で着火された発熱体の燃焼熱によって電解質が溶融されることにより、熱電池は瞬時に発電を開始する。
【０００３】
ここで、電解質が充填される複数の小室を有する電解質保持体を正極と負極の間に挟む手法が提案されている（特許文献１参照）。この手法によれば、熱電池が回転する場合であっても、溶融した電解質が遠心力によって漏出することによって熱電池の性能が低下しにくくなるため、セル内での短絡が抑制されるとされている。
【先行技術文献】
【特許文献】
【０００４】
【特許文献１】特開平８−１０６９１２号公報
【発明の概要】
【発明が解決しようとする課題】
【０００５】
しかしながら、電解質保持体に微細な小室を形成すること、及び微細な小室に固体の電解質を充填することは容易ではない。
【０００６】
本発明は、上述の状況に鑑みてなされたものであり、電解質の漏出を簡便に抑制可能な熱電池を備える回転飛翔体を提供することを目的とする。
【課題を解決するための手段】
【０００７】
本発明の第１の態様に係る回転飛翔体は、回転軸を中心として回転しながら飛翔可能な回転飛翔体である。この回転飛翔体は、本体と、本体の内部に固定される熱電池と、を備える。熱電池は、第１方向に順に積層された正極、電解質及び負極を有するセルと、正極上に配置される第１発熱体と、負極上に配置される第２発熱体と、セルの側面に沿って配置される板部材と、を有する。第１発熱体は、外周部から第２発熱体側に向かって延びる第１延在部を含む。第２発熱体は、外周部から第１発熱体側に向かって延び、第１延在部と対向する第２延在部を含む。板部材の外周面は、第１延在部の第1内周面及び第２延在部の第２内周面と対向する。
【０００８】
本発明の第１の態様に係る回転飛翔体によれば、熱電池が回転すると、板部材の外周面は、第１延在部の第１内周面及び第２延在部の第２内周面のそれぞれに密着する。そのため、溶融した電解質が外部へ漏出することを簡便に抑制することができる。
【０００９】
本発明の第２の態様に係る回転飛翔体は、第１の態様に係り、第１方向は、回転軸と平行であり、回転軸は、セルの内部を通っている。板部材は、セルの側面の全周を取り囲んでいる。
【００１０】
本発明の第２の態様に係る回転飛翔体によれば、板部材がセルの全周を取り囲んでいるため、セルの全周から電解質が漏出することを抑制することができる。
【００１１】
本発明の第３の態様に係る回転飛翔体は、第１の態様に係り、第１方向は、回転軸と平行であり、回転軸は、セルの外部を通っている。板部材は、第１方向から見た場合、セルの側面のうち回転軸を通る直線との接点よりも回転軸から離れた領域に沿って配置されている。
【００１２】
本発明の第３の態様に係る回転飛翔体によれば、板部材がセルの側面のうち電解質が漏出する領域を囲んでいるため、電解質の漏出を効率的に抑制することができる。また、板部材が円弧状であるため、環状に形成する場合に比べて、簡便に板部材を作製することができる。
【００１３】
本発明の第４の態様に係る回転飛翔体は、第１の態様に係り、第１方向は、回転軸に垂直である。板部材は、第１方向と回転軸に平行な第２方向とに垂直な第３方向におけるセルの第１端部に沿って配置される第１部材と、第１端部の反対側の第２端部に沿って配置される第２部材と、を含む。
【００１４】
本発明の第４の態様に係る回転飛翔体によれば、第１板部材の第１及び第２部材がセルの第１及び第２端部を囲んでいるため、電解質の漏出を効率的に抑制することができる。また、板部材が二分割構造であるため、環状に形成する場合に比べて、簡便に板部材を作製することができる。
【００１５】
本発明の第５の態様に係る回転飛翔体は、第１乃至第４いずれかの態様に係り、板部材は、第１延在部と第２延在部の間隙に挿入される凸部を有する。
【００１６】
本発明の第５の態様に係る回転飛翔体によれば、第１発熱体と第２発熱体との間での短絡をより確実に抑制することができる。
【発明の効果】
【００１７】
本発明によれば、電解質の漏出を簡便に抑制可能な熱電池を備える回転飛翔体を提供することができる。
【図面の簡単な説明】
【００１８】
【図１】第１実施形態に係る砲弾の外観を示す斜視図
【図２】砲弾の回転軸の方向から見た熱電池の平面図
【図３】図２のＡ−Ａ断面図
【図４】図３の拡大図
【図５】熱電池が回転軸を中心として回転している状態を示す断面図
【図６】第２実施形態に係る砲弾の外観を示す斜視図
【図７】回転軸の方向から見た熱電池の平面図
【図８】第３実施形態に係る砲弾の外観を示す斜視図
【図９】中心軸の方向から見た熱電池の平面図
【図１０】熱電池及び板部材の斜視図
【発明を実施するための形態】
【００１９】
次に、図面を用いて、本発明の実施形態について説明する。以下の図面の記載において、同一又は類似の部分には、同一又は類似の符号を付している。ただし、図面は模式的なものであり、各寸法の比率等は現実のものとは異なっている場合がある。従って、具体的な寸法等は以下の説明を参酌して判断すべきである。また、図面相互間においても互いの寸法の関係や比率が異なる部分が含まれていることは勿論である。
【００２０】
なお、以下の実施形態では、回転飛翔体の一例として砲弾の構成について説明する。また、以下の説明において、「前」及び「後」とは、飛翔中の砲弾１の進行方向を基準とする用語である。
【００２１】
［第１実施形態］
（砲弾１の全体構成）
砲弾１の全体構成について、図面を参照しながら説明する。図１は、飛翔中の砲弾１の外観を示す斜視図である。砲弾１は、回転軸Ｐを中心とする回転方向Ｑに回転しながら飛翔する。
【００２２】
砲弾１は、本体１０と、熱電池２０と、を備える。
【００２３】
本体１０は、砲弾１の外形を形成する。本体１０は、後部弾体１１と、前部弾体１２と、を有する。後部弾体１１は、回転軸Ｐを中心とする柱状に形成されている。後部弾体１１は、前部弾体１２の後端部に連結される。後部弾体１１は、図示しない炸薬を収容している。前部弾体１２は、後部弾体１１の前端に連結される。前部弾体１２は、熱電池２０や図示しない電装部品（例えば、信管、制御ＣＰＵやＧＰＳ受信機など）を収容する。
【００２４】
熱電池２０は、着火されると瞬時に発電を開始し、電装部品に電力を供給する。熱電池２０は、本体１０のうち前部弾体１２の内部に固定される。熱電池２０は、円柱状の外形を有する。砲弾１の回転軸Ｐは、熱電池２０の内側を通っている。
【００２５】
（熱電池２０の構成）
次に、図面を参照しながら、熱電池２０の構成について説明する。図２は、回転軸Ｐの方向から見た熱電池２０の平面図である。図３は、図２のＡ−Ａ断面図である。
【００２６】
図２に示すように、熱電池２０は、前部弾体１２の中央付近に配置され、熱電池２０の中心軸Ｒは、砲弾１の回転軸Ｐと略一致している。
【００２７】
図３に示すように、熱電池２０は、筐体２１と、断熱部材２２と、一対の出力端子２３と、点火具２４と、導火材２５と、発電部２６と、を有する。
【００２８】
筐体２１は、断熱部材２２や発電部２６を収容する容器である。断熱部材２２は、発電部２６を取り囲んでおり、発電部２６を保温する。断熱部材２２は、例えば、無機質焼結体や無機質ペーパーなどによって構成される。一対の出力端子２３は、発電部２６に接続され、発電部２６から電流を取り出す。
【００２９】
点火具２４は、電流が供給されると火花を飛ばして導火材２５に着火する。導火材２５は、中心軸Ｒに沿って配置される。導火材２５は、点火具２４によって着火されて燃え広がることによって、後述する６つの発熱体１００に略同時に着火する。
【００３０】
発電部２６は、６つの発熱体１００（具体的には、第１乃至第６発熱体１０１〜１０６）と、５つのセル２００（具体的には、第１乃至第５セル２０１〜２０５）と、５つの板部材３００（具体的には、第１乃至第５板部材３０１〜３０５）と、によって構成される。６つの発熱体１００と５つのセル２００は、第１方向において交互に積層される。発電部２６は、一対の接続部材２６ａを介して一対の出力端子２３に接続されている。
【００３１】
発熱体１００は、導火材２５によって着火され燃え広がることによって、セル２００を加熱する。発熱体１００は、例えば金属粉末と酸化剤との混合物によって構成される。発熱体１００は、全体的には円盤状に形成されているが、図３に示すように、発熱体１００の断面はＨ型である。
【００３２】
セル２００は、円盤状に形成されている。セル２００は、第１方向に順に積層された正極２００ａ、電解質２００ｂ及び負極２００ｃを有する。電解質２００ｂは、発熱体１００で加熱されることによって溶融する。電解質２００ｂが溶融すると、正極２００ａと負極２００ｃの間に電流が流れる。なお、正極２００ａ、電解質２００ｂ及び負極２００ｃの積層方向である第１方向は、砲弾１の回転軸Ｐと略平行である。
【００３３】
ここで、図２に示すように、砲弾１の回転軸Ｐは、セル２００の外縁の内側に位置している。そのため、溶融した電解質２００ｂは、遠心力によってセル２００の全周から漏出しようとする。
【００３４】
板部材３００は、第１方向において、２つの発熱体１００の間に挟まれている。また、板部材３００は、第１方向に直交する第２方向において、２つの発熱体１００とセル２００との間に挟まれている。本実施形態において、板部材３００は、リング状に形成されている。板部材３００は、セル２００を取り囲むように配置されている。
【００３５】
板部材３００は、例えばセラミックス材料やセラミックス繊維材料などの絶縁性材料によって構成される。このような板部材３００は、砲弾１が回転しながら飛翔すると、遠心力によって中心軸Ｒを中心として広がるように変形する。そのため、中心軸Ｒを中心とする板部材３００の直径が大きくなって、板部材３００は２つの発熱体１００に押しつけられる。
【００３６】
（発電部２６の詳細構成）
次に、図面を参照しながら、発電部２６の詳細構成について説明する。図４は、図３の拡大図である。ただし、図４では、回転していない熱電池２０が示されている。また、図４では、導火材２５が省略されている。
【００３７】
第１セル２０１は、第１発熱体１０１と第２発熱体１０２の間に挟まれている。第１セル２０１は、正極２００ａ、電解質２００ｂ及び負極２００ｃを有する。第１セル２０１は、第１板部材３０１によって取り囲まれている。従って、第１セル２０１の側面２０１Ｓは、第１板部材３０１の内周面３０１Ｔと対向している。なお、本実施形態において、砲弾１の回転軸Ｐは、第１セル２０１の内部を通っている。
【００３８】
第１発熱体１０１は、第１セル２０１の正極２００ａ上に配置される。第１発熱体１０１は、第１外周部１０１ａと第１延在部１０１ｂとを有する。第１外周部１０１ａは、第１発熱体１０１の外縁を含む環状の領域である。第１延在部１０１ｂは、第１外周部１０１ａから第２発熱体１０２側に向かって延びるように形成されている。第１延在部１０１ｂは、環状に形成される。従って、第１延在部１０１ｂは、第１板部材３０１を取り囲んでおり、第１延在部１０１ｂの第１内周面１０１Ｔは、第１板部材３０１の外周面３０１Ｓと対向している。
【００３９】
第２発熱体１０２は、第１セル２０１の負極２００ｃ上に配置される。第２発熱体１０２は、第２外周部１０２ａと第２延在部１０２ｂとを有する。第２外周部１０２ａは、第２発熱体１０２の外縁を含む環状の領域である。第２延在部１０２ｂは、第２外周部１０２ａから第１発熱体１０１側に向かって延びるように形成されている。第２延在部１０２ｂは、環状に形成される。従って、第２延在部１０２ｂは、第１板部材３０１を取り囲んでおり、第２延在部１０２ｂの第２内周面１０２Ｔは、第１板部材３０１の外周面３０１Ｓと対向している。
【００４０】
また、第１発熱体１０１の第１延在部１０１ｂは、第２発熱体１０２の第２延在部１０２ｂから離間している。具体的に、第１延在部１０１ｂと第２延在部１０２ｂとの間には、間隙Ｖｓが設けられている。これによって、第１発熱体１０１と第２発熱体１０２との電気的な絶縁が確保されている。
【００４１】
第１板部材３０１は、第１セル２０１と第１発熱体１０１及び第２発熱体１０２によって囲まれた空間Ｅｓに配置されている。具体的に、第１板部材３０１は、第１セル２０１の外側、かつ、第１延在部１０１ｂ及び第２延在部１０２ｂの内側に配置される。第１板部材３０１は、第１セル２０１の側面２０１Ｓの全周を取り囲んでいる。第１板部材３０１は、第１延在部１０１ｂ及び第２延在部１０２ｂに取り囲まれている。
【００４２】
また、第１板部材３０１は、内周面３０１Ｔと外周面３０１Ｓとを有する。第１板部材３０１の内周面３０１Ｔは、第１セル２０１の側面２０１Ｓと対向する。第１板部材３０１の外周面３０１Ｓは、第１延在部１０１ｂの第１内周面１０１Ｔ及び第２延在部１０２ｂの第２内周面１０２Ｔのそれぞれと対向する。
【００４３】
また、第１板部材３０１は、外周面３０１Ｓ上において環状に形成される凸部３０１ａを有する。凸部３０１ａは、間隙Ｖｓに挿入されている。
【００４４】
ここで、図５は、熱電池２０が回転軸Ｐを中心として回転している状態を示す断面図である。図５に示すように、熱電池２０が回転すると、第１板部材３０１は、回転軸Ｐを中心として広がるように変形し、第１延在部１０１ｂ及び第２延在部１０２ｂに当接する。すなわち、第１板部材３０１の外周面３０１Ｓは、第１延在部１０１ｂの第１内周面１０１Ｔ及び第２延在部１０２ｂの第２内周面１０２Ｔのそれぞれに密着する。これによって、第１発熱体１０１及び第２発熱体１０２によって加熱され溶融した電解質２００ｂは、空間Ｅｓに閉じこめられ、発電部２６の外部へ漏出することが抑制される。
【００４５】
（特徴）
（１）第１実施形態に係る熱電池２０は、第１発熱体１０１と、第２発熱体１０２と、第１セル２０１と、第１板部材３０１と、を有する。第１発熱体１０１は、第１外周部１０１ａから第２発熱体１０２側に向かって延びる第１延在部１０１ｂを含む。第２発熱体１０２は、第２外周部１０２ａから第１発熱体１０１側に向かって延びる第２延在部１０２ｂを含む。第１板部材３０１の外周面３０１Ｓは、第１延在部１０１ｂの第1内周面１０１Ｔ及び第２延在部１０２ｂの第２内周面１０２Ｔのそれぞれと対向する。
【００４６】
従って、熱電池２０が回転すると、第１板部材３０１の外周面３０１Ｓは、第１延在部１０１ｂの第１内周面１０１Ｔ及び第２延在部１０２ｂの第２内周面１０２Ｔのそれぞれに密着する。そのため、溶融した電解質２００ｂが発電部２６の外部へ漏出することを簡便に抑制することができる。
【００４７】
（２）第１セル２０１は、第１方向に順に積層された正極２００ａ、電解質２００ｂ及び負極２００ｃを有する。第１方向は、砲弾１の回転軸Ｐと略平行である。砲弾１の回転軸Ｐは、第１セル２０１の内部を通っている。第１板部材３０１は、第１セル２０１の側面２０１Ｓの全周を取り囲んでいる。
【００４８】
第１セル２０１の積層方向である第１方向が回転軸Ｐと平行で、かつ、回転軸Ｐが第１セル２０１の内部を通っている場合、溶融した電解質２００ｂには、回転軸Ｐを中心とする遠心力がかかり、第１セル２０１の全周から外側に漏出しようとする。本実施形態では、第１板部材３０１が第１セル２０１の全周を取り囲んでいるため、電解質２００の漏出を抑制することができる。
【００４９】
（３）第１板部材３０１は、第１延在部１０１ｂと第２延在部１０２ｂとの間隙Ｖｓに挿入される凸部３０１ａを有する。
【００５０】
従って、第１発熱体１０１と第２発熱体１０２との間での短絡をより確実に抑制することができる。
【００５１】
［第２実施形態］
以下において、第２実施形態に係る砲弾１ａの構成について説明する。第１実施形態に係る砲弾１との相違点は、熱電池２０において、第１板部材３０１が第１セル２０１の側面２０１Ｓの一部のみを囲んでいる点である。以下においては、当該相違点について主に説明する。
【００５２】
図６は、第２実施形態に係る砲弾１ａの外観を示す斜視図である。図７は、回転軸Ｐの方向から見た熱電池２０の平面図である。
【００５３】
図６に示すように、熱電池２０は、円柱状の外形を有する。砲弾１ａの回転軸Ｐは、熱電池２０の中心軸Ｒと略平行である。ただし、砲弾１ａの回転軸Ｐは、熱電池２０の外側に位置している。
【００５４】
図７に示すように、砲弾１ａの回転軸Ｐは、第１セル２０１の外部を通っている。そのため、溶融した電解質２００ｂは、遠心力によって第１セル２０１の側面２０１Ｓの一部から漏出しようとする。具体的に、溶融した電解質２００ｂは、側面２０１Ｓのうち回転軸Ｐを通る直線との２つの接点ＣＰ１，ＣＰ２よりも回転軸Ｐから離れた外側領域２０１Ｓoutから漏出しようとする。
【００５５】
そこで、本実施形態において、第１板部材３０１は、第１セル２０１の側面２０１Ｓのうち外側領域２０１Ｓoutに沿って配置されている。そのため、第１板部材３０１は、円弧状に形成されている。
【００５６】
また、第１発熱体１０１の第１延在部１０１ｂ及び第２発熱体１０２の第２延在部１０２ｂのそれぞれは、第１板部材３０１の外側を囲むように形成されている。そのため、第１発熱体１０１の第１延在部１０１ｂ及び第２発熱体１０２の第２延在部１０２ｂのそれぞれは、円弧状に形成されている。
【００５７】
（特徴）
第１セル２０１の積層方向である第１方向は、砲弾１ａの回転軸Ｐと略平行である。砲弾１ａの回転軸Ｐは、第１セル２０１の外部を通っている。第１板部材３０１は、第１セル２０１の側面２０１Ｓのうち外側領域２０１Ｓoutに沿って配置されている。
【００５８】
第１セル２０１の積層方向である第１方向が回転軸Ｐと平行で、かつ、第１セル２０１の外部を通っている場合、溶融した電解質２００ｂには、回転軸Ｐを中心とする遠心力がかかり、第１セル２０１の一部から外側に漏出しようとする。本実施形態では、第１板部材３０１が第１セル２０１の側面２０１Ｓのうち外側領域２０１Ｓoutを囲んでいるため、電解質２００の漏出を効率的に抑制することができる。
【００５９】
また、第１板部材３０１が円弧状であるため、環状に形成する場合に比べて、簡便に第１板部材３０１を作製することができる。
【００６０】
［第３実施形態］
以下において、第３実施形態に係る砲弾１ｂの構成について説明する。第１実施形態に係る砲弾１との相違点は、熱電池２０において、各板部材３００が二分割されている点である。以下においては、当該相違点について主に説明する。
【００６１】
図８は、第３実施形態に係る砲弾１ｂの外観を示す斜視図である。図９は、中心軸Ｒの方向から見た熱電池２０の平面図である。図１０は、第１セル２０１及び第１板部材３０１の斜視図である。なお、図１０では、第１セル２０１と第１板部材３０１の位置関係を示すために、第１乃至第６発熱体１０１〜１０６及び第２乃至第５セル２０２〜２０５が省略されている。
【００６２】
図８に示すように、熱電池２０は、角柱状の外形を有する。砲弾１ｂの回転軸Ｐは、熱電池２０の中心軸Ｒと略垂直である。図９に示すように、熱電池２０は、発熱体１００（第１乃至第６発熱体１０１〜１０６を含む。図３参照）と、セル２００（第１乃至第５セル２０１〜２０５を含む。図３参照）と、板部材３００（第１乃至第５板部材３０１〜３０５を含む。図３参照）と、を有する。
【００６３】
ここで、図１０に示すように、溶融した電解質２００ｂは、遠心力によって第１セル２０１の第１及び第２端部２０１ｇ，２０１ｈから漏出しようとする。第１及び第２端部２０１ｇ，２０１ｈは、回転軸Ｐに平行な第２方向及び第１方向それぞれに垂直な第３方向における第１セル２０１の両端部である。
【００６４】
そこで、本実施形態において、第１板部材３０１は、図１０に示すように、第１端部２０１ｇに沿って配置される第１部材３０１ｇと、第２端部２０１ｈに沿って配置される第２部材３０１ｈと、を有している。このように、第１板部材３０１は、コの字状の二部材によって構成されている。
【００６５】
また、図９に示すように、第１発熱体１０１の第１延在部１０１ｂ及び第２発熱体１０２の第２延在部１０２ｂのそれぞれは、第１板部材３０１の第１及び第２部材３０１ｇ，３０１ｈそれぞれの外側を囲むように形成されている。そのため、第１発熱体１０１の第１延在部１０１ｂ及び第２発熱体１０２の第２延在部１０２ｂのそれぞれも、コの字状に２つずつ形成されている。
【００６６】
（特徴）
第１セル２０１の積層方向である第１方向は、砲弾１ａの回転軸Ｐと垂直である。第１板部材３０１は、第１セル２０１の第１及び第２端部２０１ｇ，２０１ｈに沿って配置される第１及び第２部材３０１ｇ，３０１ｈを有している。
【００６７】
第１セル２０１の積層方向である第１方向が回転軸Ｐと垂直である場合、溶融した電解質２００ｂは、遠心力によって第１セル２０１の第１及び第２端部２０１ｇ，２０１ｈから漏出しようとする。本実施形態では、第１板部材３０１の第１及び第２部材３０１ｇ，３０１ｈが第１セル２０１の第１及び第２端部２０１ｇ，２０１ｈを囲んでいるため、電解質２００ｂの漏出を効率的に抑制することができる。
【００６８】
また、第１板部材３０１が二分割構造であるため、環状に形成する場合に比べて、簡便に第１板部材３０１を作製することができる。
【００６９】
［その他の実施形態］
本発明は上記の実施形態によって記載したが、この開示の一部をなす論述及び図面はこの発明を限定するものであると理解すべきではない。この開示から当業者には様々な代替実施形態、実施例及び運用技術が明らかとなろう。
【００７０】
（Ａ）上記第１乃至第３実施形態では、回転飛翔体の一例として砲弾１，１ａ，１ｂについて説明したが、これに限られるものではない。回転飛翔体としては、誘導弾やロケット弾、或いはミサイルなどが挙げられる。なお、砲弾よりも時間当たり回転数が低いミサイルにおいても上記効果が得られることは勿論である。
【００７１】
（Ｂ）上記第１及び第２実施形態では、熱電池２０は、円柱状に形成されることとしたが、これに限られるものではない。第１及び第２実施形態においても、第３実施形態と同様に、熱電池２０は、角柱状に形成されていてもよい。
【００７２】
一方で、上記第３実施形態では、熱電池２０は角柱状に形成されることとしたが、円柱状に形成されていてもよい。
【００７３】
（Ｃ）上記第１実施形態では、第１板部材３０１は、環状の凸部３０１ａを有することとしたが、これに限られるものではない。第１板部材３０１は、円弧状又は複数の突起状の凸部３０１ａを有していてもよいし、凸部３０１ａを有していなくてもよい。
【００７４】
一方で、第２及び第３実施形態では特に触れていないが、第１板部材３０１は、環状、円弧状又は複数の突起状の凸部３０１ａを有していてもよい。
【００７５】
このように、本発明はここでは記載していない様々な実施形態等を含むことは勿論である。従って、本発明の技術的範囲は上記の説明から妥当な特許請求の範囲に係る発明特定事項によってのみ定められるものである。
【符号の説明】
【００７６】
１…砲弾
１０…本体
２０…熱電池
１００…発熱体
１０１…第１発熱体
１０１ｂ…第１延在部
１０２…第２発熱体
１０２ｂ…第２延在部
２００…セル
２００ａ…正極
２００ｂ…電解質
２００ｃ…負極
３００…板部材
【図１】
2014135230.tif 000003
【図２】
2014135230.tif 000004
【図３】
2014135230.tif 000005
【図４】
2014135230.tif 000006
【図５】
2014135230.tif 000007
【図６】
2014135230.tif 000008
【図７】
2014135230.tif 000009
【図８】
2014135230.tif 000010
【図９】
2014135230.tif 000011
【図１０】
2014135230.tif 000012